(57)【要約】【課題】リサイクルが容易で耐久性にも優れるリングブラシ及びブラシロール、ブラシ式路面清掃車を提供する。【解決手段】ブラシ式路面清掃車のブラシロールに用いられるリングブラシ３において、フィラメントアッセンブリ８を、ＰＥＴ製でリング状のシート材の外周に、同じＰＥＴ製のブラシフィラメント９を放射状に接着して形成する一方、ブラシシャフトに装着されるリング部材を、フィラメントアッセンブリ８を軸方向の前後から挟持する一対の押さえプレート１１，１２から形成した。【選択図】図５
2014000638.tif 000002
【特許請求の範囲】
【請求項１】
ブラシシャフトに装着されるリング部材と、そのリング部材から放射状に伸びる線状のブラシ片からなるブラシ片集合体とを備え、ブラシ式路面清掃車のブラシロールに用いられるリングブラシであって、
前記ブラシ片集合体を、合成樹脂製でリング状のブラシ基部の外周に、前記ブラシ基部と同じ合成樹脂製のブラシ片を放射状に接着して形成する一方、
前記リング部材を、前記ブラシ片集合体をその軸方向の前後から挟持する一対の押さえ部材から形成したことを特徴とするリングブラシ。
【請求項２】
ブラシシャフトに装着されるリング部材と、そのリング部材から放射状に伸びる線状のブラシ片からなるブラシ片集合体とを備え、ブラシ式路面清掃車のブラシロールに用いられるリングブラシであって、
前記ブラシ片集合体を、可撓性でリング状のブラシ基部に、合成樹脂製のブラシ片を放射状に差し込み装着して形成する一方、
前記リング部材を、前記ブラシ基部をその軸方向の前後から挟持する一対の押さえ部材から形成したことを特徴とするリングブラシ。
【請求項３】
少なくとも前記ブラシ片の材質をポリエチレンテレフタラートとしたことを特徴とする請求項１又は２に記載のリングブラシ。
【請求項４】
前記押さえ部材は、半径方向の凸部と凹部とを交互に有する波形に形成されることを特徴とする請求項１乃至３の何れかに記載のリングブラシ。
【請求項５】
ブラシシャフトに、請求項１乃至４の何れかに記載のリングブラシを軸方向に複数重ねて装着したことを特徴とするブラシロール。
【請求項６】
前記ブラシシャフトに、外周面から半径方向へ突出する金具を、前記リングブラシの装着位置に合わせて複数設けて、前記押さえ部材同士を固定するボルトを前記金具に係合させることで、前記ブラシシャフトと前記リングブラシとを回転方向で一体化させたことを特徴とする請求項５に記載のブラシロール。
【請求項７】
車体の後部に、主ブラシとして請求項５又は６に記載のブラシロールを用いたことを特徴とするブラシ式路面清掃車。
【発明の詳細な説明】
【技術分野】
【０００１】
本発明は、ブラシ式路面清掃車のブラシロールに用いられるリングブラシと、そのリングブラシを用いてなるブラシロールと、そのブラシロールを用いたブラシ式路面清掃車とに関する。
【背景技術】
【０００２】
図１に示すように、ブラシ式路面清掃車３０は、車体３１の左右に側ブラシ３２を、車体３１の後方に主ブラシ３３をそれぞれ備え、回転する側ブラシ３２によって集められた路面上の塵埃を回転する主ブラシ３３によって掃き上げて、コンベヤ装置３４及び逆回転パドル３５によってホッパー３６へ移送するようになっている。
この主ブラシ３３には、ブラシシャフトに複数のリングブラシを装着してなるブラシロールが用いられる。ブラシロールとしては、例えば特許文献１に開示のように、リング部材の外周にブラシ素材が放射状に植設された波ブラシ（リングブラシ）を、主ブラシコアの外周に複数外装してなるものが知られている。また、特許文献２には、断面コ字状のポリプロピレンチャンネルへ、ポリプロピレン繊維の融着部を挿入して挟着板で挟着し、加熱して融着固定したブラシ材を環状に成形してブラシロールを得る発明が開示されている。さらに、特許文献３には、横断面が略Ｕ字状となるチャンネルの内部に芯線を配置し、ブラシ片を芯線とチャンネルとの間に挟んでチャンネルに植え込むようにしたチャンネルブラシの発明が開示されている。
【先行技術文献】
【特許文献】
【０００３】
【特許文献１】特開２００３−３１３８３８号公報
【特許文献２】特開２００７−５４６１４号公報
【特許文献３】特開２０１１−４５４９８号公報
【発明の概要】
【発明が解決しようとする課題】
【０００４】
近年、リングブラシにおいても、使用後の廃棄が容易でリサイクル可能なものが要求されているが、特許文献１の波ブラシは、リング部材とブラシ素材との分離が容易でなく、リサイクルが困難なものとなっている。これは、チャンネルとブラシ片との材質が異なる特許文献３のチャンネルブラシにおいても同様である。一方、特許文献２のブラシロールは、チャンネルとブラシ材とが同じポリプロピレンであるため、リサイクルが容易であるが、毛折れが発生しやすく、耐久性に問題があった。
【０００５】
そこで、本発明は、リサイクルが容易で耐久性にも優れるリングブラシ及びブラシロール、ブラシ式路面清掃車を提供することを目的としたものである。
【課題を解決するための手段】
【０００６】
上記目的を達成するために、請求項１に記載の発明は、ブラシシャフトに装着されるリング部材と、そのリング部材から放射状に伸びる線状のブラシ片からなるブラシ片集合体とを備え、ブラシ式路面清掃車のブラシロールに用いられるリングブラシであって、ブラシ片集合体を、合成樹脂製でリング状のブラシ基部の外周に、ブラシ基部と同じ合成樹脂製のブラシ片を放射状に接着して形成する一方、リング部材を、ブラシ片集合体をその軸方向の前後から挟持する一対の押さえ部材から形成したことを特徴とするものである。
上記目的を達成するために、請求項２に記載の発明は、ブラシシャフトに装着されるリング部材と、そのリング部材から放射状に伸びる線状のブラシ片からなるブラシ片集合体とを備え、ブラシ式路面清掃車のブラシロールに用いられるリングブラシであって、ブラシ片集合体を、可撓性でリング状のブラシ基部に、合成樹脂製のブラシ片を放射状に差し込み装着して形成する一方、リング部材を、ブラシ基部をその軸方向の前後から挟持する一対の押さえ部材から形成したことを特徴とするものである。
請求項３に記載の発明は、請求項１又は２の構成において、少なくともブラシ片の材質をポリエチレンテレフタラートとしたことを特徴とするものである。
請求項４に記載の発明は、請求項１乃至３の何れかの構成において、押さえ部材は、半径方向の凸部と凹部とを交互に有する波形に形成されることを特徴とするものである。
上記目的を達成するために、請求項５に記載の発明は、ブラシロールであって、ブラシシャフトに、請求項１乃至４の何れかに記載のリングブラシを軸方向に複数重ねて装着したことを特徴とするものである。
請求項６に記載の発明は、請求項５の構成において、ブラシシャフトに、外周面から半径方向へ突出する金具を、リングブラシの装着位置に合わせて複数設けて、押さえ部材同士を固定するボルトを金具に係合させることで、ブラシシャフトとリングブラシとを回転方向で一体化させたことを特徴とするものである。
上記目的を達成するために、請求項７に記載の発明は、ブラシ式路面清掃車であって、車体の後部に、主ブラシとして請求項５又は６に記載のブラシロールを用いたことを特徴とするものである。
【発明の効果】
【０００７】
請求項１，２及び５，７に記載の発明によれば、ブラシ片集合体と押さえ部材とが簡単に分離でき、ブラシ片集合体のリサイクルが容易に行える。
請求項３に記載の発明によれば、請求項１又は２の効果に加えて、耐久性の高いリングブラシが得られる。
請求項４に記載の発明によれば、請求項１乃至３の何れかの効果に加えて、リングブラシの剛性が確保できる。
請求項６に記載の発明によれば、請求項５の効果に加えて、ブラシシャフトとリングブラシとを簡単に連結できる。
【図面の簡単な説明】
【０００８】
【図１】ブラシ式路面清掃車の説明図である。
【図２】形態１のブラシロールの縦断面図である。
【図３】形態１のブラシシャフトの側面図である。
【図４】（Ａ）は図３のＡ−Ａ線断面図、（Ｂ）はＢ−Ｂ線断面図、（Ｃ）はＣ−Ｃ線断面図である。
【図５】形態１のリングブラシの説明図で、（Ａ）が正面、（Ｂ）がＤ−Ｄ線断面をそれぞれ示す。
【図６】形態１のフィラメントアッセンブリの説明図である。
【図７】図６のＥ−Ｅ線断面図である。
【図８】形態１の一方の押さえプレートの説明図で、（Ａ）が正面、（Ｂ）が側面をそれぞれ示す。
【図９】形態１の他方の押さえプレートの説明図で、（Ａ）が正面、（Ｂ）が側面をそれぞれ示す。
【図１０】形態１のリングブラシの分解図及びリングブラシの固定方法を示す説明図である。
【図１１】図１０のＡ部拡大図である。
【図１２】図１０のＦ−Ｆ線断面図である。
【図１３】形態２のリングブラシの説明図である。
【図１４】図１３のＧ−Ｇ線断面図である。
【図１５】形態２のブラシフィラメントの説明図である。
【図１６】形態２のゴムリングの説明図で、（Ａ）が正面、（Ｂ）が側面をそれぞれ示す。
【図１７】図１６のＨ−Ｈ線断面図である。
【発明を実施するための形態】
【０００９】
以下、本発明の実施の形態を図面に基づいて説明する。
［形態１］
図２は、図１で説明したブラシ式路面清掃車３０の主ブラシ３３に用いられるブラシロール１の縦断面図で、ブラシロール１は、ブラシシャフト２と、ブラシシャフト２に軸方向へ重ねて装着される複数のリングブラシ３，３・・とからなる。
まずブラシシャフト２は、パイプ４の軸心にシャフトコア５を貫通させて取り付けている。パイプ４内には、図３，４に示すように、その直径方向に複数の平板状の金具６，６・・が、両端をパイプ４に設けたスリットから突出させた状態で収容されて、それぞれシャフトコア５に貫通されている。この金具６は、パイプ４の軸方向へ所定間隔をおいて、且つ周方向へ４５°ずつ位相をずらせて設けられている。パイプ４から突出する金具６の両端には、透孔７がそれぞれ形成されている。
【００１０】
リングブラシ３は、図５に示すように、線状のブラシ片としてのブラシフィラメント９，９・・を放射状に設けてなるブラシ片集合体としてのフィラメントアッセンブリ８と、そのフィラメントアッセンブリ８の軸方向の前後に配置される一対のゴムプレート１０，１０と、そのゴムプレート１０，１０の外側からフィラメントアッセンブリ８を軸方向の前後から挟持する押さえ部材としての一対の押さえプレート１１，１２とからなる。
【００１１】
まずフィラメントアッセンブリ８は、図６，７に示すように、ブラシ基部としてのＰＥＴ（ポリエチレンテレフタラート）製のリング状のシート材１３，１３により、同じＰＥＴ製のブラシフィラメント９，９・・の基端を挟んで接着することで、中央に透孔１４を有する円盤状に形成されている。
ゴムプレート１０は、天然ゴム製で、内径はシート材１３の内径と略同じであるが、外径はシート材１３の外径よりも大きくなっている。
【００１２】
そして、押さえプレート１１，１２は、図８，９に示すように、半径方向の凸部１５と凹部１６とが傾斜部１７を挟んで４５°間隔で交互に形成される波形で金属製のリング体で、このうち凸部１５は凹部１６よりも中心側へ長く形成されて、内径をパイプ４の外径に合わせた突出部１８としている。この突出部１８において、一方の押さえプレート１１には、透孔１９が形成されて、他方の押さえプレート１２には、ネジ孔２１を形成したブロック状の固定座２０が固着されている。なお、突出部１８を除く押さえプレート１１，１２の内周には、パイプ４から突出する金具６との干渉を回避する切り欠き２２，２２・・が形成されている。
【００１３】
以上の如く構成されたリングブラシ３においては、図１０に示すように、フィラメントアッセンブリ８を中心にしてゴムプレート１０，１０を前後からあてがい、一対の押さえプレート１１，１２を、突出部１８に透孔１９が形成された押さえプレート１１が表側に、突出部１８に固定座２０が設けられた押さえプレート１２が裏側にそれぞれ位置するようにして互いの凸部１５と凹部１６との位相を合わせた状態で、フィラメントアッセンブリ８とゴムプレート１０，１０とを挟むようにして組み合わせる。
【００１４】
すると、裏側の押さえプレート１２の固定座２０が、フィラメントアッセンブリ８及びゴムプレート１０，１０を貫通して表側の押さえプレート１１の突出部１８の裏面に当接して、透孔１９とネジ孔２１とを一致させる。よって、押さえプレート１１側から透孔１９にボルト２３を通してネジ孔２１にねじ込むと、押さえプレート１１，１２同士がフィラメントアッセンブリ８及びゴムプレート１０，１０を介して互いに組み付けられ、フィラメントアッセンブリ８が押さえプレート１１，１２の凹凸形状に合わせた波形に変形したリングブラシ３が得られる。
【００１５】
こうして得られたリングブラシ３を、押さえプレート１２が先になる向きでパイプ４に外装し、抜け止めフランジ２４が固定された一端側へ移動させて、押さえプレート１２の凹部１６を抜け止めフランジ２４に当接させた位置で、図１１に示すように、ボルト２３の頭部を抜け止めフランジ２４に最も近い最初の金具６の端部の透孔７にそれぞれ嵌合させる。すると、最初のリングブラシ３は、抜け止めフランジ２４と金具６との間で固定されて回転方向でパイプ４と一体化される。なお、リングブラシ３をパイプ４の一端側へ移動させる際には、切り欠き２２によって途中の金具６との干渉は回避できる。
【００１６】
続いて次のリングブラシ３を同じ向きでパイプ４に外装し、最初のリングブラシ３と４５°位相をずらした状態で、押さえプレート１２の凹部１６を最初の金具６に当接させた位置で、ボルト２３の頭部を隣接する金具６の端部の透孔７にそれぞれ嵌合させる。すると、次のリングブラシ３は、最初のリングブラシ３の押さえプレート１１の凸部１５に押さえプレート１２の凹部１６を当接させた状態で金具６に固定される。
【００１７】
このようにしてリングブラシ３，３・・を順番にパイプ４に外装させて、隣接する前のリングブラシ３と４５°ずつ位相をずらしながら図１２に示すようにそれぞれ金具６に固定することができる。最後のリングブラシ３を固定した後、パイプ４の他端に抜け止めフランジ２５を固定すれば、図２のようにブラシシャフト２に複数のリングブラシ３．３・・が連続的に装着されたブラシロール１が得られる。
【００１８】
このように、上記形態１のリングブラシ３によれば、フィラメントアッセンブリ８を、ＰＥＴ製でリング状のシート材１３の外周に、同じＰＥＴ製のブラシフィラメント９を放射状に接着して形成する一方、ブラシシャフト２に装着されるリング部材を、フィラメントアッセンブリ８をその軸方向の前後から挟持する一対の押さえプレート１１，１２から形成したことで、フィラメントアッセンブリ８と押さえプレート１１，１２とが簡単に分離でき、ＰＥＴのみからなるフィラメントアッセンブリ８のリサイクルが容易に行える。
【００１９】
特にここでは、フィラメントアッセンブリ８の材質をＰＥＴとしているので、耐久性の高いリングブラシ３が得られる。
また、押さえプレート１１，１２は、半径方向の凸部１５と凹部１６とを交互に有する波形に形成されるので、リングブラシ３の剛性が確保できる。
さらに、フィラメントアッセンブリ８と押さえプレート１１，１２との間に、押さえプレート１１，１２よりも大径のゴムプレート１０，１０を介在させたことで、押さえプレート１１，１２との接触によるブラシフィラメント９の破断が防止可能となる。
【００２０】
そして、ブラシシャフト２に、外周面から半径方向へ突出する金具６を、リングブラシ３の装着位置に合わせて複数設けて、押さえプレート１１，１２同士を固定するボルト２３を金具６に係合させることで、ブラシシャフト２とリングブラシ３とを回転方向で一体化させているので、ブラシシャフト２とリングブラシ３とを簡単に連結できる。
【００２１】
なお、上記形態１のリングブラシにおいては、ブラシ片集合体と押さえプレートとの間にゴムプレートを介在させているが、押さえプレートの形状や材質によってはゴムプレートを省略することは可能である。
また、ブラシ片集合体の材質も、ブラシ片とブラシ基部とが同じ材質であれば、ＰＥＴ以外の他の合成樹脂を採用してもよい。
さらに、ブラシシャフトに対するリングブラシの装着構造も、例えば位相のズレを４５°以外で設定したり、金具へのボルト頭部の嵌合によらず、ネジ止めやフック等の係止構造を採用したり等、適宜変更可能である。
【００２２】
［形態２］
次に、本発明の他の形態を説明する。但し、形態１とはリングブラシのみ異なるため、ブラシシャフト等の重複する説明は省略してリングブラシについて説明を行う。
図１３に示すリングブラシ３０は、フィラメントアッセンブリ３１と、そのフィラメントアッセンブリ３１を軸方向の前後から挟持する一対の押さえプレート３２，３３とからなる。
フィラメントアッセンブリ３１は、図１６，１７に示すように、ブラシ基部としてのゴムリング３４と、そのゴムリング３４へ放射状に取り付けられるＰＥＴ製のブラシフィラメント３５，３５・・とから形成される。ここではゴムリング３４に、径方向に貫通する複数の貫通孔３６，３６・・が等間隔をおいて形成されており、各貫通孔３６にブラシフィラメント３５を、図１５に示すように中央で二つ折りした先端からそれぞれ差し込んでいる。
【００２３】
また、ここでの押さえプレート３２，３３も、半径方向の凸部３７と凹部３８とが傾斜部３９を挟んで４５°間隔で交互に形成される波形で金属製のリング体で、図１４に示すように、一方の押さえプレート３２の突出部４０には透孔４１が形成され、他方の押さえプレート３３の突出部４０には固定座４２が固着されている。
よって、フィラメントアッセンブリ３１のゴムリング３４をその前後から一対の押さえプレート３２，３３で挟み込んで、前側の突出部４０の透孔４１に貫通させたボルト４３を固定座４２に螺合させれば、ゴムリング３４が厚み方向で圧縮されてブラシフィラメント３５，３５・・がゴムリング３４に一体化される。
【００２４】
このように、上記形態２のリングブラシ３０においても、フィラメントアッセンブリ３１を、可撓性でリング状のゴムリング３４に、合成樹脂製のブラシフィラメント３５を放射状に差し込み装着して形成する一方、リング部材を、ゴムリング３４をその軸方向の前後から挟持する一対の押さえプレート３２，３３から形成したことで、フィラメントアッセンブリ３１と押さえプレート３２，３３とが簡単に分離でき、ブラシフィラメント３５もゴムリング３４から容易に抜き取ることができるので、フィラメントアッセンブリ３１の分別やリサイクルが容易に行える。
【００２５】
なお、上記形態２では、ブラシフィラメントをゴムリングへ差し込み装着しているが、接着剤を併用してもよい。この場合、分離してリサイクルすることなく燃料として使用することもできる。
また、ブラシ基部はゴムリングに限らず、合成樹脂や布製であっても差し支えない。
【符号の説明】
【００２６】
１・・ブラシロール、２・・ブラシシャフト、３，３０・・リングブラシ、４・・パイプ、５・・シャフトコア、６・・金具、７・・透孔、８，３１・・フィラメントアッセンブリ、９，３５・・ブラシフィラメント、１０・・ゴムプレート、１１，１２，３２，３３・・押さえプレート、１５，３７・・凸部、１６，３８・・凹部、１９，４１・・透孔、２０，４２・・固定座、２１・・ネジ孔、２３，４３・・ボルト、２４，２５・・抜け止めフランジ、３４・・ゴムリング。
【図１】
2014000638.tif 000003
【図２】
2014000638.tif 000004
【図３】
2014000638.tif 000005
【図４】
2014000638.tif 000006
【図５】
2014000638.tif 000007
【図６】
2014000638.tif 000008
【図７】
2014000638.tif 000009
【図８】
2014000638.tif 000010
【図９】
2014000638.tif 000011
【図１０】
2014000638.tif 000012
【図１１】
2014000638.tif 000013
【図１２】
2014000638.tif 000014
【図１３】
2014000638.tif 000015
【図１４】
2014000638.tif 000016
【図１５】
2014000638.tif 000017
【図１６】
2014000638.tif 000018
【図１７】
2014000638.tif 000019